(57)【要約】特に車両の自動変速機のために設けられたスプール弁（２）が記載される。スプール弁（２）は、スプール管（６）内を摺動可能なスプール弁体（１０）と、少なくとも２つの隣り合う接続管（１２、１４；１４、１６）と、を備える。スプール管（６）とスプール弁体（１０）とは、スプール弁体（１０）が、スプール解放ポジションにおいて、２つの隣り合う接続管（１２、１４；１４、１６）の間の流体連結を形成し、スプール弁体（１０）が、スプール解放ポジションにおいて、隣り合う接続管（１２、１４；１４、１６）の間のスプール管（６）の区間（３４）内に案内されているように、構成される。【選択図】図１
2016520781.tif 000002
【特許請求の範囲】
【請求項１】
特に車両の自動変速機のためのスプール弁（２；９２；１１２；１４２）であって、
スプール管（６）内を摺動可能なスプール弁体（１０；９４；１１４；１５４）と、
２つの隣り合う接続管（１２、１４；１４、１６）と、
を備え、
前記スプール管（６）と前記スプール弁体（１０；９４；１１４；１５４）とは、
前記スプール弁体（１０；９４；１１４；１５４）が、スプール開放ポジションにおいて、前記２つの隣り合う接続管（１２、１４；１４、１６）の間の流体連結を形成し、前記スプール弁体（１０；９４；１１４；１５４）が、前記スプール解放ポジションにおいて、前記隣り合う接続管（１２、１４；１４、１６）の間の前記スプール管（６）の区間（３４；６６）内に案内されているように、
構成されることを特徴とする、スプール弁（２；９２；１１２；１４２）。
【請求項２】
前記スプール解放ポジションのための前記スプール弁体（１０；９４；１１４；１５４）の開口区間（２０；２０ａ；２０ｂ）は、前記隣り合う接続管（１２、１４；１４、１６）の間の前記スプール管（６）の前記区間（３４；６６）内での前記流体連結のために、横断面沈降部（２６；２８；８８；１１６；１１８；１５０；１５２）を有する、請求項１に記載のスプール弁（２；９２；１１２；１４２）。
【請求項３】
前記スプール解放ポジションのための前記スプール弁体（１０；９４；１１４；１５４）の前記開口区間（２０；２０ａ；２０ｂ）は、前記スプール管（６）内で前記スプール弁体（１０；９４；１１４；１５４）を案内するためのガイド区間（３０；３２；９０；１３０；１３２）を有し、前記ガイド区間（３０；３２；９０；１３０；１３２）は、前記スプール弁体（１０；９４；１１４；１５４）の隣接する閉鎖区間（２２；２４）のガイド外面（６８；７０）へと基本的に連続的に変わる、請求項１又は２に記載のスプール弁（２；９２；１１２；１４２）。
【請求項４】
第１の横断面沈降部（２６）は、前記スプール弁体（１０；９４；１１４；１５４）の横断面において、円周方向に、当該第１の横断面沈降部（２６）に隣接する第２の横断面沈降部（２８）までと基本的に同じ間隔を、当該第１の横断面沈降部（２６）に隣接する第３の横断面沈降部（８８）とも取り、及び／又は、第１のガイド区間（３０）は、前記スプール弁体（１０；９４；１１４；１５４）の横断面において、円周方向に、当該第１のガイド区間（３０）に隣接する第２のガイド区間（３２）までと基本的に同じ間隔を、当該第１のガイド区間（３０）に隣接する第３のガイド区間（９０）とも取る、請求項２又は３に記載のスプール弁（２；９２；１１２；１４２）。
【請求項５】
前記スプール弁体（１０；１１４）の横断面上のガイド区間（３０、９０；１３０；１３２）及び／又は横断面沈降部（２８、８８；１１６、１３６）は、基本的に、前記スプール弁体（１１４）の横断面中心点に対して点対称であり、及び／又は、前記スプール弁体（１０）の前記横断面中心点を通る対称軸（３８）に対して非対称である、請求項２又は３に記載のスプール弁（２；９２；１１２；１４２）。
【請求項６】
前記接続管（１２；１４；１６）のうちの１つは、前記スプール管（６）の長手方向軸（８）と直交して、前記スプール管（６）の前記接続管（１２；１４；１６）に隣接する区間（３４；６６）の横径（５０）よりも大きな直径（４２；３８；４０）を有する、請求項１に記載のスプール弁（２；９２；１１２；１４２）。
【請求項７】
前記スプール弁体（１０２）は、通路（１０２、１０４）を有し、前記通路（１０２、１０４）は、前記スプール弁体（１０２）の圧力発生ポジションにおいて、作動圧力接続管（１４）と圧力室（９８）との間の流体連結を形成し、前記スプール弁体（１０２）のためのアクチュエータの方を向かない、前記スプール弁体（１０２）の端面（５４）には、前記圧力室（９８）を介して圧力を印加することが可能である、請求項１に記載のスプール弁（９２）。
【請求項８】
前記スプール解放ポジションのための前記スプール弁体（１１４；１５４）の開口区間（２０）は、前記スプール弁体（１１４；１５４）の長手方向に直径変化部（１２０）を有し、前記直径変化部（１２０）は、前記スプール弁体（１１４、１５４）の長手方向において、前記開口区間（２０）の制御端面（１３８；１４０；１４２；１４４）から離して配置される、請求項１に記載のスプール弁（１１２；１４２）。
【請求項９】
前記スプール弁体（１１４）の前記直径変化部（１２０）は、前記スプール弁体（１１４）の長手方向に対して特に基本的に直交して方向付けられた部分環状面（１３４）を形成し、少なくとも、前記部分環状面（１３４）の法線ベクトルの少なくとも１つの成分が、基本的に、前記スプール弁体（１１４）のためのアクチュエータが配置されている方向に向かって方向付けられる、請求項８に記載のスプール弁（１１２）。
【請求項１０】
前記スプール弁（２）のハウジング（４）は、通路（５８、５９）を有し、前記通路（５８、５９）は、作動圧力接続管（１４）と圧力室（５６）との間の流体連結を形成し、前記スプール弁体（１０）のためのアクチュエータの方を向かない、前記スプール弁体（１０）の端面（５４）には、前記圧力室（５６）を介して圧力を印加することが可能である、請求項１に記載のスプール弁（２）。
【発明の詳細な説明】
【技術分野】
【０００１】
本発明は、請求項１の上位概念に記載の特に車両の自動変速機のためのスプール弁に関する。
【背景技術】
【０００２】
従来技術によるスプール弁は、スプール管内を摺動可能なスプール弁体を有する。さらに、接続管がスプール管に連通し又は当該スプール管と連結していることが公知である。
【０００３】
独国特許出願公開第１０２０１００４１１２４号明細書には、接続孔がスプール管を越えて延びるスプール弁が開示されている。制御端面を有する第１のガイド区間が接続孔に対応付けられており、ガイド区間の被覆外面上には少なくとも１つの環状溝が存在する。
【０００４】
独国特許出願公開第１０２０１１０８７５４６号明細書は、アクチュエータにより付勢可能なスプール弁体を備えたスプール弁に関する。スプール弁体には、制御区間の隣に配置された２つの凹部であって、軸方向に伸長しかつ半径方向に周回する上記凹部がある。
【発明の概要】
【課題を解決するための手段】
【０００５】
本発明の根底にある問題は、請求項１に記載のスプール弁によって解決される。
【０００６】
スプール弁体が、スプール開放ポジションにおいて、２つの隣り合う接続管の間の流体連結を形成し、スプール弁体が、スプール解放ポジションにおいて、隣り合う接続管の間のスプール管の領域内に案内されていることによって、機械的な摩擦及び粘性摩擦が低減される。これによりさらに、寸法がより小さいスプール弁が実現されうる。特に、隣り合う接続管の間のスプール管の領域内にスプール弁体を案内することによって、有利に、他の案内領域を省くことが可能となることが実現される。全体として、スプール弁体の直径の縮小と、スプール弁体の長さの短縮と、が可能である。さらに、スプール弁は、好適に、追加的なスリーブを設けることなく実現されうる。さらに、孔の位置に関して僅かな公差が生じる。ハウジング内でのアンダーカット（Ｈｉｎｔｅｒｓｔｉｃｈ）も回避されうる。さらに、製造工程の削減も可能である。
【０００７】
好適に、スプール解放ポジションのためのスプール弁体の開口区間は、隣り合う接続管の間のスプール管の上記領域内での流体連結のために、横断面沈降部を有する。この横断面沈降部を介して、隣り合う接続管の間で流体が交換されうる。
【０００８】
他の好適な実施形態において、スプール解放ポジションのためのスプール弁体の開口区間は、スプール管内へとスプール弁体を案内するためのガイド区間を有する。ガイド区間は、スプール弁体の隣接する閉鎖区間のガイド外面へと基本的に連続的に（ｓｔｅｔｉｇ）変わる。これにより有利に、制御端面の領域内及び孔の領域内への案内が基本的に中断されないことが実現される。これによって特に、スプール弁体が傾くことが防止され、スプール弁の耐用年数が延びる。
【０００９】
好適な発展形態において、隣り合う横断面沈降部は、互いに均等の距離に間隔を取り、及び／又は、隣り合うガイド区間は、互いに均等の距離に間隔を取る。
【００１０】
他の発展形態は、スプール弁体の横断面上での点対称又は非対称に関する。本発展形態によって、スプール弁体に対して半径方向に作用する力が、スプール弁体、特にスプール弁体全体の機能及び摩耗に対して可能な限り僅かにしか影響を及ぼさないことが実現される。
【００１１】
スプール弁の好適な実施形態において、接続管のうちの１つは、スプール管の長手方向軸と直交して、特にスプール弁体が配置されている領域内で、スプール管に隣接する区間の横径よりも大きな直径を有する。このことによって好適に、接続管の、直径がより大きな領域にあるスプール弁体に対して、上記作用する力が解消されるように、接続管からの圧力が印加されることを実現することが可能である。これにより、スプール管内でのスプール弁体の案内に関して利点が得られる。なぜならば、短手方向において、全スプールに対して一方から偏って力が加わるわけではないからである。さらに、接続管のこのような設計には、特に温度が低く流体の粘性が上がっている際には接続管に基本的に絞り機能（Ｄｒｏｓｓｅｌｗｉｒｋｕｎｇ）がないため、スプール弁がより小さく設計されるという利点がある。
【００１２】
好適な実施形態において、スプール弁体は、通路を有し、この通路は、スプール弁体の圧力発生ポジションにおいて、作動圧力接続管と圧力室との間に流体連結を形成する。スプール弁体のためのアクチュエータの方を向かない、スプール弁体の端面には、前記圧力室を介して圧力を印加することが可能である。これにより好適に、アクチュエータの方向に背圧を生成しうると共に、スプール弁の設置空間を縮小することが可能である。上記端面に作動圧力接続管からの圧力を印加できることによって、閉鎖型の制御回路を生じさせることが可能である。
【００１３】
スプール弁の更なる別の好適な実施形態によれば、スプール解放ポジションのためのスプール弁体の開口区間は、スプール弁体の長手方向において直径変化部を有する。この直径変化部は、スプール弁体の長手方向において、開口区間の制御端面から間隔を取って配置されている。これにより好適に、スプール弁体の直径を変更することが可能であり、その際に、直径変化部が制御端面の機能を引き継ぐことはない。
【００１４】
スプール弁の好適な実施形態において、スプール弁のハウジングは、作動圧力接続管と圧力室との間の流体連結を形成する通路を有する。スプール弁体のためのアクチュエータの方を向かない、スプール弁体の端面には、圧力室を介して圧力を印加することが可能である。これにより有利に、アクチュエータに反する力が提供されうる。作動圧力接続管からの圧力が端面に印加されることによって、閉鎖型の制御回路を生じさせることが可能である。
【００１５】
本発明の更なる別の特徴、適用の可能性及び利点は、図を用いて解説される本発明の実施形態についての以下の明細書の記載から明らかとなろう。
【図面の簡単な説明】
【００１６】
【図１】圧力発生ポジションにおけるスプール弁の概略的な断面図を示す。
【図２】閉鎖ポジションにおける図１のスプール弁の概略的な断面図を示す。
【図３】減圧ポジションにおける図１のスプール弁の概略的な断面図を示す。
【図４】スプール弁体の斜視図を示す。
【図５】図１のスプール弁の概略的な横断面図を示す。
【図６】第２のスプール弁の概略的な断面図を示す。
【図７】図６の第２のスプール弁の概略的な横断面図を示す。
【図８】第３のスプール弁の概略的な断面図を示す。
【図９】更なる別のスプール弁の一区間の斜視図を示す。
【図１０】第４のスプール弁の概略的な断面図を示す。
【発明を実施するための形態】
【００１７】
図１は、圧力発生ポジションにおける第１のスプール弁２の概略的な断面図を示している。スプール弁２は、特に、車両の自動変速機のために設けられる。スプール弁２はハウジング４を有しており、断面図では斜線で示されている。第１のスプール弁２のハウジング４内には、スプール管６が形成され、このスプール管６は、少なくとも部分的に基本的には円筒形状で、長手方向軸８に沿って延びている。スプール管６内には、ここでは側面図で示されたスプール弁体１０が摺動可能に配置されている。
【００１８】
第１のスプール弁２は、スプール管６にそれぞれが連通しているタンク接続管１２及び作動圧力接続管１４及び圧力供給接続管１６を有する。圧力供給接続管１６を介して、スプール弁２には、圧力が掛かった流体が供給される。長手方向軸８に沿ってスプール弁体１０を摺動させると、スプール弁体１０が、示される圧力発生ポジションに置かれ、この圧力発生ポジションにおいて、流体が圧力供給接続管１６から作動圧力接続管１４へと流れる。タンク接続管１２、作動圧力接続管１４、及び、圧力供給接続管１６は、一般に接続管とも呼ばれる。
【００１９】
スプール弁体１０は、長手方向に開口区間２０を有し、この開口区間２０は両側が、閉鎖区間２２と閉鎖区間２４とによって画定されている。閉鎖区間２２及び２４は外面を有し、この外面は、閉鎖区間２２及び２４がスプール管６を基本的に液密に閉鎖するようにスプール管６の内面に当接する。スプール弁体２の開口区間２０は、図４及び図５で詳細に解説される横断面沈降部２６及び２８、並びに、ガイド区間３０及び３２を有する。
【００２０】
従って、スプール管６とスプール弁体１０とは、スプール弁体１０が、スプール解放ポジションにおいて、２つの隣り合う接続管１４と１６との間に、即ち作動圧力接続管１４と圧力供給接続管１６との間に、矢印１８のように流体連結が形成され、さらにスプール弁体１０が、スプール解放ポジションにおいて、隣り合う接続管１４と１６との間のスプール管６の領域３４内に案内されているように、構成される。
【００２１】
横断面沈降部２６及び２８によって、圧力供給接続管１６と作動圧力接続管１４との間の領域３４内に開口部が発生するようになる。ガイド区間３０及び３２は、長手方向軸８に沿ったスプール弁体１０の案内が保証されるように、領域３４内でスプール管６の内面に当接する。
【００２２】
タンク接続管１２は、孔３６を介してスプール管６に連通する。孔３６は、スプール弁体の領域内では基本的に円筒形状であり、その際に、円筒の長手方向軸が、基本的にスプール管６の長手方向軸８と一致する。接続管１４及び１６は、その長手方向軸３８及び４０がスプール管６の長手方向軸８と基本的と直交して延びるように、配置される。孔３６は、タンク接続管１２に対応付けられ、直径４２を有する。作動圧力接続管１４は、直径４４を有する。圧力供給接続管１６は、直径４６を有する。スプール管６は、横径５０を有する。従って、接続管１２〜１６は、スプール管６の長手方向軸８と直交して、スプール管６の横径５０よりも大きな直径４２、４４、４６を有する。例えば、接続管１４及び１６はスプール管６の長手方向軸８と直交して、接続管１４及び１６に隣接して配置された区間３４の領域内の横径５０よりも大きいより大きな直径を有する。例えば、直径４４及び４６が約２．５ｍｍに決定され、横径５０が１．５ｍｍに決定されてもよい。当然のことながら、長手方向軸８の軸上に実現される孔３６は、接続管１４及び１６の領域内にも形成されうる。当然のことながら、接続管１２も、接続管１４及び１６のように、長手方向軸１８と直交して実現されうる。
【００２３】
矢印５２のように、スプール弁体１０には、矢印５２とは反対の方向に配置された、図示されない形態によるアクチュエータからの力が加えられる。アクチュエータは、例えば、電磁石又は油圧式動力伝達装置であってもよい。
【００２４】
矢印５２の向かいの、スプール弁体１０の端面５４の側には、基本的に端面５４とハウジング４のスプール管６との間に形成される圧力室５６が存在する。ハウジング４を通る２つの孔５８及び５９が、作動圧力接続管１４と圧力室５６とを接続する。これにより、作動圧力接続管１４の調整された圧力が圧力室５６へと案内され、これにより、当該調整された圧力が、端面５４、特にスプールの横断面全体に対して作用しうる。従って、調整された圧力が、矢印５２に係る圧力に抗して作用する。これにより、スプール弁２のハウジング４は、孔５８及び５９に係る通路を有し、その際に、この通路は、作動圧力接続管１４と圧力室５６との間の流体連結を形成する。これにより、スプール弁体１０のためのアクチュエータの方を向かないスプ―ル弁体１０の端面又は端面５４に対して、圧力室５６を介して圧力を印加することが可能である。
【００２５】
図２は、閉鎖ポジションにおける図１の第１のスプール弁２の概略的な断面図を示している。スプール弁体１０は、閉鎖区間２４が、密封面（Ｄｉｃｈｔｌａｅｎｇｅ）６２によりスプール管６の区間３４内に存在し、これにより区間３４を閉鎖する。密封区間２２は、密封面６４により、タンク接続管１２と作動圧力接続管１４との間の区間６６内に存在し、これにより区間６６を閉鎖する。当然のことながら、代替的に、スプール管６又はスプール弁体１０の構成により２つの密封面６４又は６２が生ぜず、従って接続管１６から接続管１４への接続又は接続管１４から接続管１２への接続が常に存在するように、スプール弁２が構成されてもよい。
【００２６】
図３は、減圧ポジションにおける第１のスプール弁２の概略的な断面図を示す。スプール弁体１０の減圧ポジションにおいて、矢印６８のように、流体が作動圧力接続管１４からタンク接続管１２へと流れる。減圧ポジションは、圧力発生ポジションと同様に、スプール解放ポジションに対応している。示される減圧ポジションにおいて、スプール弁１０は、２つの隣り合う接続管１２と１４との間の流体連結を形成し、同時に、スプール弁体１０は、スプール管６の区間６６内に案内されている。
【００２７】
図４は、図１〜３のスプール弁体１０の概略的な斜視図を示している。スプール管６の長手方向軸８が描かれているが、この長手方向軸８は同時に、スプール弁体１０の長手方向軸も示している。閉鎖区間２２、２４は、それぞれ、基本的にスプール管６内を案内しかつスプール管６を閉鎖するよう構成されたガイド外面６８、７０を有する。当然のことながら、ガイド外面６８及び７０は、上記の案内機能及び閉鎖機能が基本的に損なわれない場合には、例えば圧力逃し溝によって途切れていてもよい。
【００２８】
開口区間２０内にはガイド区間３０が示されており、このガイド区間３０は、基本的には途切れていないガイド外面を基本的に備える。しかしながら、ガイド区間３０のガイド外面は、その案内機能が特にスプール管６の区間３４及３６内で損なわれない場合には、例えば圧力逃し溝によって途切れていてもよい。スプール弁体１０は、開口区間２０内にガイド区間３０を有し、その際に、このガイド区間３０は、閉鎖区間２２及び２４の各ガイド外面６８、７０へと基本的に連続的に変わる。
【００２９】
横断面沈降部２６及び２８は、横断面上でガイド区間３０に連設され、基本的に１つの面で形成される。当然のことながら、１つの面による構成の代わりに、凸状又は凹状の形態による横断面沈降部２６及び２８も選択されうる。
【００３０】
横断面沈降部２６及び２８によって、開口区間２０と閉鎖区間２４との間に制御端面７２及び７４が形成される。開口区間２０と閉鎖区間２２との間には制御端面７６及び７８が形成される。制御端面７２〜７８は、基本的に弓形の形状をしており、その際に、対応する円弧面が、基本的に長手方向軸８に対して直交して方向付けられている。端面８４は、矢印５２の方向、従ってアクチュエータの方向を向いている。端面８４と閉鎖区間２２との間に、スプール弁体１０は、円錐形状に形成され端面８４へと伸びる面８６を有する。
【００３１】
図５は、図１の長手方向軸８及び作動圧力接続管１４の長手方向軸３８を通る横断面に係る、特に矢印５２に係る方向から見た第１のスプール弁２の部分的な横断面図を示す。横断面沈降部８８及び更なる別のガイド区間９０によって、スプール弁体１０は、開口区間２０の領域内では基本的に横断面が三角形の形状をしている。ガイド区間３０、３２、及び９０は、それぞれに対応するスプール管６の内面に応じて形成される。ガイド区間３０、３２、９０の間には、反時計周りに、横断面沈降部２８、８８、及び２６が延びている。スプール弁体１０の開口区間２０は、横断面において軸３８に対して軸対称である。さらに、スプール弁体１０の開口区間２０は横断面上で回転対称であり、１２０°の１の弓形が、長手方向軸８上に存在する横断面の円中心点の周りを回転すると、１２０°の他の弓形の上に重なる。
【００３２】
横断面沈降部８８は、スプール弁体１０の横断面において、円周方向に、横断面沈降部２６までと基本的に同じ間隔を横断面沈降部２８とも取っている。同様に、ガイド区間３０は、円周方向において、ガイド３２までと基本的に同じ間隔をガイド区間９０とも取っている。横断面沈降部２８、２８、及び８８はそれぞれ、スプール解放ポジションにおいて、隣り合う接続管１２と１４の間又は隣り合う接続管１４と１６との間の、スプール管６の区間３４及び／又は６６のうちの１つの区間内での流体連結を形成するために役立つ。
【００３３】
図６は、第２のスプール弁９２の概略的な断面図を示し、第２のスプール弁９２は、図１〜３の第１のスプール弁２に対して、スプール本体９４を有している。第２のスプール弁９２のハウジング９６は、第１のスプール弁２のハウジング４と比べて、接続管１４と１６との間の接続を有さない。
【００３４】
圧力室９８は、基本的に、スプール管６とスプール弁体９４の端面５４とによって画定されている。長手方向孔１０２と短手方向孔１０４とが、作動圧力接続管１４と圧力室９８との間の流体連結を常に形成する。スプール弁９４のためのアクチュエータの方を向かない、スプール弁９４の端面５４には、圧力室９８を介して、圧力が、矢印５２の方向とは逆に、従ってアクチュエータによる作用に抗して、圧力が印加されうる。長手方向孔１０２は圧力室９８に連通し、流体連結のために長手方向孔１０２と接続された短手方向孔１０４は、圧力発生ポジションにおいて、開口区間２０の領域内で作動圧力接続管１４に連通する。示される圧力発生ポジションにおいて、矢印１０６及び１０８のように、流体が圧力供給接続管１６から作動圧力接続管１４へと流れる。
【００３５】
図７は、図５と同様に、軸３８を通る長手方向軸８に対する横断面に係る断面図を示している。短手方向孔１０４は、ざぐり（Ａｎｓｐｉｅｇｅｌｕｎｇ）無しに実現されている。
【００３６】
図８は、閉鎖ポジションにおける第３のスプール弁１１２の概略的な断面図を示す。スプール弁体１１４は、図１、２、３、及び６に対して断面図で示されている。開口区間２０内において、スプール弁体１１４は、横断面沈降部１１６及び１１８を有する。長手方向軸８に沿って、スプール弁体１１４は、図９で詳細に解説するように環状端面として形成された直径隆起部１２０を有する。第３のスプール弁１１２のハウジング１１２は、スプール管７を有し、このスプール管７は、直径隆起部１２０に対応して、区間６６内では、区間３４内よりも大きな直径を有する。スプール弁体１１４が、図８では示されないスプール解放ポジションにおいて、２つの隣り合う接続管１２と１４の間又は１４と１６の間の流体連結を形成し、スプール弁体１１４が、スプール閉鎖ポジションにおいて、隣り合う接続管１４及び／又は１６の間のスプール管７の区間３４内及び／又は区間６６内に案内されてうるように、スプール管７とスプール弁体１１４とは形成される。
【００３７】
空間１２４は、基本的には、スプール管７と、図示されないアクチュエータの方を向かないスプール弁体１１４の端面と、によって画定される。この空間１２４は、管１２６を介して、図示されない形態により、流体タンク又はタンク接続管１２と接続されている。矢印５２に逆らう必要な復元力が、直径変化部１２０によって形成される。さらに、ハウジング１２２は、区間３４内に、直径変化部１２０に対応する凹所１２８を有する。この凹所１２８は、特に、直径変化部１２０のための当接手段（Ａｎｓｃｈｌａｇｍｉｔｔｅｌ）として機能しうる。
【００３８】
図９には、スプール弁体１１４の開口区間２０の斜視図が示されている。この開口区間２０は、第１の開口区間２０ａと第２の開口区間２０ｂとに分けられる。第１の開口区間２０ａは、直径変化部１２０に対向する閉鎖区間２４に連接していることにより、直径変化部１２０に対向する閉鎖区間２２が連接する第２の開口区間２０ｂよりも小さな直径を有する。第１の開口区間２０ａの領域内では、スプール弁体１１４を案内するためのガイド区間１３０が、区間３４において閉鎖区間２４へと連続的に変わる。第２の開口区間２０ｂ内では、ガイド区間１３２が、閉鎖区間２２へと連続的に変わる。
【００３９】
直径変化部１２０の領域内では、直径の隆起に従って基本的にスプール弁体１１４の長手方向軸８に直交して形成される部分環状面１３４のような、４つの部分環状面が形成される。部分環状面１３４の法線ベクトルは、基本的に、スプール弁体１１４のためのアクチュエータが配置されている方向に向かって方向付けられる。
【００４０】
ガイド区間１３０の円周方向の両側、及び、ガイド区間１３２の円周方向の両側には、横断面沈降部１１６、及び、横断面沈降部１３６が配置されている。横断面沈降部１１６及び１３６は、長手方向に、直径変化部１２０を超えて延びており、開口区間２０の両末端には制御端部１３８、１４０、１４２、及び１４４が形成される。図８及び９に示されるように、横断面沈降部１１６及び１３６並びに１１８は、各制御端部１４４及び１３８並びに１４２及び１４０から出発して凹面を為し、即ち、長手方向軸８へと内部に向かって湾曲して形成されている。スプール弁体１１４は、開口区間２０内では、横断面において４個の横断面沈降部と４個のガイド区間を有する。当然のことながら、スプール弁１１４は、４個以上の横断面沈降部、特に、６個、８個、１０個、又はそれ以上の数の横断面沈降部を有してもよい。横断面沈降部及び／又はガイド区間は特に、スプール弁体の横断面において基本的にスプール弁体１１４の横断面中心点に対して点対称となる（横断面中心点は長手方向軸８上に存在する）ように、配置されうる。
【００４１】
図１０は、減圧ポジションにおける第４のスプール弁１４２を示している。矢印１４６及び１４８のように、流体は、横断面沈降部１５０及び１５２を介して、作動圧力接続管１４からタンク接続管１２へと流れられる。
【００４２】
開口区間２０内に、スプール弁１５４は直径変化部１２１を有し、この直径変化部１２１は、図８及び図９の直径変化部１２０と比べると傾斜している。図１０の直径変化部１２１は、非連続的に（ｕｎｓｔｅｔｉｇ）実現される。しかしながら、直径変化部１２１の連続的な実現も選択されうる。全体として、直径変化部１２０の領域内で異なる直径を選択することによって、アクチュエータの力に対する所望の復元力を設定することが可能である。
【００４３】
当然のことながら、スプール弁体１５４も、スプール弁体１１４のガイド区間１３０及び１３２と同じようなガイド部を有する。
【図１】
2016520781.tif 000003
【図２】
2016520781.tif 000004
【図３】
2016520781.tif 000005
【図４】
2016520781.tif 000006
【図５】
2016520781.tif 000007
【図６】
2016520781.tif 000008
【図７】
2016520781.tif 000009
【図８】
2016520781.tif 000010
【図９】
2016520781.tif 000011
【図１０】
2016520781.tif 000012
【手続補正書】
【提出日】平成28年2月4日(2016.2.4)
【手続補正１】
【補正対象書類名】特許請求の範囲
【補正対象項目名】全文
【補正方法】変更
【補正の内容】
【特許請求の範囲】
【請求項１】
スプール弁（２；９２；１１２；１４２）であって、
スプール管（６）内を摺動可能なスプール弁体（１０；９４；１１４；１５４）と、
２つの隣り合う接続管（１２、１４；１４、１６）と、
を備え、
前記スプール管（６）と前記スプール弁体（１０；９４；１１４；１５４）とは、
前記スプール弁体（１０；９４；１１４；１５４）が、スプール開放ポジションにおいて、前記２つの隣り合う接続管（１２、１４；１４、１６）の間の流体連結を形成し、前記スプール弁体（１０；９４；１１４；１５４）が、前記スプール解放ポジションにおいて、前記隣り合う接続管（１２、１４；１４、１６）の間の前記スプール管（６）の区間（３４；６６）内に案内されているように、
構成されることを特徴とする、スプール弁（２；９２；１１２；１４２）。
【請求項２】
前記スプール解放ポジションのための前記スプール弁体（１０；９４；１１４；１５４）の開口区間（２０；２０ａ；２０ｂ）は、前記隣り合う接続管（１２、１４；１４、１６）の間の前記スプール管（６）の前記区間（３４；６６）内での前記流体連結のために、横断面沈降部（２６；２８；８８；１１６；１１８；１５０；１５２）を有する、請求項１に記載のスプール弁（２；９２；１１２；１４２）。
【請求項３】
前記スプール解放ポジションのための前記スプール弁体（１０；９４；１１４；１５４）の前記開口区間（２０；２０ａ；２０ｂ）は、前記スプール管（６）内で前記スプール弁体（１０；９４；１１４；１５４）を案内するためのガイド区間（３０；３２；９０；１３０；１３２）を有し、前記ガイド区間（３０；３２；９０；１３０；１３２）は、前記スプール弁体（１０；９４；１１４；１５４）の隣接する閉鎖区間（２２；２４）のガイド外面（６８；７０）へと基本的に連続的に変わる、請求項１又は２に記載のスプール弁（２；９２；１１２；１４２）。
【請求項４】
第１の横断面沈降部（２６）は、前記スプール弁体（１０；９４；１１４；１５４）の横断面において、円周方向に、当該第１の横断面沈降部（２６）に隣接する第２の横断面沈降部（２８）までと基本的に同じ間隔を、当該第１の横断面沈降部（２６）に隣接する第３の横断面沈降部（８８）とも取り、及び／又は、第１のガイド区間（３０）は、前記スプール弁体（１０；９４；１１４；１５４）の横断面において、円周方向に、当該第１のガイド区間（３０）に隣接する第２のガイド区間（３２）までと基本的に同じ間隔を、当該第１のガイド区間（３０）に隣接する第３のガイド区間（９０）とも取る、請求項２又は３に記載のスプール弁（２；９２；１１２；１４２）。
【請求項５】
前記スプール弁体（１０；１１４）の横断面上のガイド区間（３０、９０；１３０；１３２）及び／又は横断面沈降部（２８、８８；１１６、１３６）は、基本的に、前記スプール弁体（１１４）の横断面中心点に対して点対称であり、及び／又は、前記スプール弁体（１０）の前記横断面中心点を通る対称軸（３８）に対して非対称である、請求項２又は３に記載のスプール弁（２；９２；１１２；１４２）。
【請求項６】
前記接続管（１２；１４；１６）のうちの１つは、前記スプール管（６）の長手方向軸（８）と直交して、前記スプール管（６）の前記接続管（１２；１４；１６）に隣接する区間（３４；６６）の横径（５０）よりも大きな直径（４２；４４；４６）を有する、請求項１に記載のスプール弁（２；９２；１１２；１４２）。
【請求項７】
前記スプール弁体（１０２）は、通路（１０２、１０４）を有し、前記通路（１０２、１０４）は、前記スプール弁体（１０２）の圧力発生ポジションにおいて、作動圧力接続管（１４）と圧力室（９８）との間の流体連結を形成し、前記スプール弁体（１０２）のためのアクチュエータの方を向かない、前記スプール弁体（１０２）の端面（５４）には、前記圧力室（９８）を介して圧力を印加することが可能である、請求項１に記載のスプール弁（９２）。
【請求項８】
前記スプール解放ポジションのための前記スプール弁体（１１４；１５４）の開口区間（２０）は、前記スプール弁体（１１４；１５４）の長手方向に直径変化部（１２０）を有し、前記直径変化部（１２０）は、前記スプール弁体（１１４、１５４）の長手方向において、前記開口区間（２０）の制御端面（１３８；１４０；１４２；１４４）から離して配置される、請求項１に記載のスプール弁（１１２；１４２）。
【請求項９】
前記スプール弁体（１１４）の前記直径変化部（１２０）は、前記スプール弁体（１１４）の長手方向に対して方向付けられた部分環状面（１３４）を形成し、少なくとも、前記部分環状面（１３４）の法線ベクトルの少なくとも１つの成分が、基本的に、前記スプール弁体（１１４）のためのアクチュエータが配置されている方向に向かって方向付けられる、請求項８に記載のスプール弁（１１２）。
【請求項１０】
前記直径変化部（１２０）は、前記スプール弁体（１１４）の長手方向に対して基本的に直交して方向付けられた部分環状面（１３４）を形成する、請求項９に記載のスプール弁（１１２）。
【請求項１１】
前記スプール弁（２）のハウジング（４）は、通路（５８、５９）を有し、前記通路（５８、５９）は、作動圧力接続管（１４）と圧力室（５６）との間の流体連結を形成し、前記スプール弁体（１０）のためのアクチュエータの方を向かない、前記スプール弁体（１０）の端面（５４）には、前記圧力室（５６）を介して圧力を印加することが可能である、請求項１に記載のスプール弁（２）。
【請求項１２】
車両の自動変速機のための、請求項１〜１１のいずれかに記載のスプール弁。
【手続補正２】
【補正対象書類名】明細書
【補正対象項目名】００１９
【補正方法】変更
【補正の内容】
【００１９】
スプール弁体１０は、長手方向に開口区間２０を有し、この開口区間２０は両側が、閉鎖区間２２と閉鎖区間２４とによって画定されている。閉鎖区間２２及び２４は外面を有し、この外面は、閉鎖区間２２及び２４がスプール管６を基本的に液密に閉鎖するようにスプール管６の内面に当接する。スプール弁体１０の開口区間２０は、図４及び図５で詳細に解説される横断面沈降部２６及び２８、並びに、ガイド区間３０及び３２を有する。
【手続補正３】
【補正対象書類名】明細書
【補正対象項目名】００２５
【補正方法】変更
【補正の内容】
【００２５】
図２は、閉鎖ポジションにおける図１の第１のスプール弁２の概略的な断面図を示している。スプール弁体１０は、閉鎖区間２４が、密封面（Ｄｉｃｈｔｌａｅｎｇｅ）６２によりスプール管６の区間３４内に存在し、これにより区間３４を閉鎖する。閉鎖区間２２は、密封面６４により、タンク接続管１２と作動圧力接続管１４との間の区間６６内に存在し、これにより区間６６を閉鎖する。当然のことながら、代替的に、スプール管６又はスプール弁体１０の構成により２つの密封面６４又は６２が生ぜず、従って接続管１６から接続管１４への接続又は接続管１４から接続管１２への接続が常に存在するように、スプール弁２が構成されてもよい。
【手続補正４】
【補正対象書類名】明細書
【補正対象項目名】００２８
【補正方法】変更
【補正の内容】
【００２８】
開口区間２０内にはガイド区間３０が示されており、このガイド区間３０は、基本的には途切れていないガイド外面を基本的に備える。しかしながら、ガイド区間３０のガイド外面は、その案内機能が特にスプール管６の区間３４及６６内で損なわれない場合には、例えば圧力逃し溝によって途切れていてもよい。スプール弁体１０は、開口区間２０内にガイド区間３０を有し、その際に、このガイド区間３０は、閉鎖区間２２及び２４の各ガイド外面６８、７０へと基本的に連続的に変わる。
【手続補正５】
【補正対象書類名】明細書
【補正対象項目名】００３４
【補正方法】変更
【補正の内容】
【００３４】
圧力室９８は、基本的に、スプール管６とスプール弁体９４の端面５４とによって画定されている。長手方向孔１０２と短手方向孔１０４とが、作動圧力接続管１４と圧力室９８との間の流体連結を常に形成する。スプール弁９４のためのアクチュエータの方を向かない、スプール弁９４の端面５４には、圧力室９８を介して、圧力が、矢印５２の方向とは逆に、従ってアクチュエータによる作用に抗して、印加されうる。長手方向孔１０２は圧力室９８に連通し、流体連結のために長手方向孔１０２と接続された短手方向孔１０４は、圧力発生ポジションにおいて、開口区間２０の領域内で作動圧力接続管１４に連通する。示される圧力発生ポジションにおいて、矢印１０６及び１０８のように、流体が圧力供給接続管１６から作動圧力接続管１４へと流れる。
【手続補正６】
【補正対象書類名】明細書
【補正対象項目名】００３６
【補正方法】変更
【補正の内容】
【００３６】
図８は、閉鎖ポジションにおける第３のスプール弁１１２の概略的な断面図を示す。スプール弁体１１４は、図１、２、３、及び６に対して断面図で示されている。開口区間２０内において、スプール弁体１１４は、横断面沈降部１１６及び１１８を有する。長手方向軸８に沿って、スプール弁体１１４は、図９で詳細に解説するように環状端面として形成された直径変化部１２０を有する。第３のスプール弁１１２のハウジング１２２は、スプール管７を有し、このスプール管７は、直径変化部１２０に対応して、区間６６内では、区間３４内よりも大きな直径を有する。スプール弁体１１４が、図８では示されないスプール解放ポジションにおいて、２つの隣り合う接続管１２と１４の間又は１４と１６の間の流体連結を形成し、スプール弁体１１４が、スプール閉鎖ポジションにおいて、隣り合う接続管１４と１６の間及び／又は１２と１４の間のスプール管７の区間３４内及び／又は区間６６内に案内されてうるように、スプール管７とスプール弁体１１４とは形成される。
【手続補正７】
【補正対象書類名】明細書
【補正対象項目名】００３８
【補正方法】変更
【補正の内容】
【００３８】
図９には、スプール弁体１１４の開口区間２０の斜視図が示されている。この開口区間２０は、第１の開口区間２０ａと第２の開口区間２０ｂとに分けられる。第１の開口区間２０ａは、直径変化部１２０に対向する閉鎖区間２４に連接していることにより、直径変化部１２０に対向しない閉鎖区間２２が連接する第２の開口区間２０ｂよりも小さな直径を有する。第１の開口区間２０ａの領域内では、スプール弁体１１４を案内するためのガイド区間１３０が、区間３４において閉鎖区間２４へと連続的に変わる。第２の開口区間２０ｂ内では、ガイド区間１３２が、閉鎖区間２２へと連続的に変わる。
【国際調査報告】
2016520781.tif 000013
2016520781.tif 000014
2016520781.tif 000015
2016520781.tif 000016
2016520781.tif 000017
2016520781.tif 000018